(57)【要約】【課題】パス情報を記憶するための記憶手段の記憶容量を低減すると共に、制御モジュールの処理負荷の軽減と低消費電力化を可能にする。【解決手段】各セルに対するパスサーチにおいて、その受信電力をもとに当該セルがハンドオーバ先となる可能性が高いか否かをハンドオーバ可能性判定機能１００ａにより判定する。そして、パス情報記憶制御機能１００ｂの制御の下、可能性が高いと判定された場合には、受信候補のパス数を１６個選択すると共に、この選択した１６個のパスの各々についてパス情報を構成する５種類の要素すべてを選択してパステーブル記憶エリア２００ａに記憶する。一方、可能性が低いと判定された場合には、受信候補のパス数を１個選択すると共に、この選択した１個のパスについて５種類の要素の中からタイミングと平均受信電力を選択してパステーブル記憶エリア２００ａに記憶する。【選択図】　　図１
2004032385.tif 000002
【特許請求の範囲】
【請求項１】
各々がセルを形成する複数の基地局との間でＣＤＭＡ（ＣｏｄｅＤｉｖｉｓｉｏｎ　Ｍｕｌｔｉｐｌｅ　Ａｃｃｅｓｓ）方式を使用して無線通信を行う移動通信端末において、
前記基地局ごとに当該基地局から到来する信号のパスを検出するパス検出手段と、
このパス検出手段により検出されるパスごとにその詳細を表す複数の要素を生成する要素生成手段と、
前記複数の基地局の各々について自端末のハンドオーバ先となる可能性を判定する判定手段と、
この判定手段の判定結果に応じて、前記検出されたパスごとに前記要素生成手段により生成される複数の要素の中で記憶対象の要素を選択する選択手段と、
前記基地局に対応付けて、前記選択手段により選択されたパスの要素をパス情報として記憶するパス情報記憶手段と、
このパス情報記憶手段に記憶されたパス情報をもとにＲＡＫＥ受信動作を行う受信手段とを具備したことを特徴とする移動通信端末。
【請求項２】
前記選択手段は、前記判定手段の判定結果に基づいて、前記パス検出手段により検出される複数のパスの中から受信候補となるパスを選択し、かつこの選択されたパスごとに前記要素生成手段により生成された複数の要素の中から記憶対象の要素を選択することを特徴とする請求項１記載の移動通信端末。
【請求項３】
前記判定手段は、前記複数の基地局の各々について、前記パス検出手段により検出されたパスの受信レベルに基づいて、自端末のハンドオーバ先となる可能性が所定値より高いか低いかを判定することを特徴とする請求項１記載の移動通信端末。
【請求項４】
前記判定手段は、自端末の移動方向及び移動速度を検出する手段を備え、前記複数の基地局の各々について、前記検出された自端末の移動方向及び移動速度に基づいて、自端末のハンドオーバ先となる可能性が所定値より高いか低いかを判定することを特徴とする請求項１記載の移動通信端末。
【請求項５】
前記選択手段は、前記判定手段によりハンドオーバ先となる可能性が所定値より高いと判定された基地局から受信したパスについては、前記要素生成手段により生成される複数の要素のすべてを選択し、一方前記判定手段によりハンドオーバ先となる可能性が所定値より低いと判定された基地局から受信したパスについては、前記要素生成手段により生成される複数の要素の中から特定の要素を限定的に選択することを特徴とする請求項１又は２記載の移動通信端末。
【請求項６】
前記選択手段は、前記判定手段によりハンドオーバ先となる可能性が所定値より低いと判定された基地局から受信したパスについては、前記要素生成手段により生成される複数の要素の中から受信タイミング及び受信電力を選択することを特徴とする請求項５記載の移動通信端末。
【請求項７】
各々がセルを形成する複数の基地局との間でＣＤＭＡ（ＣｏｄｅＤｉｖｉｓｉｏｎ　Ｍｕｌｔｉｐｌｅ　Ａｃｃｅｓｓ）方式を使用して無線通信を行う移動通信端末に設けられる制御モジュールにおいて、
パス検出手段に、前記基地局ごとに当該基地局から到来する信号のパスを検出させるパス検出制御手段と、
前記パス検出手段により検出されたパスごとにその詳細を表す複数の要素を生成する要素生成手段と、
前記複数の基地局の各々について自端末のハンドオーバ先となる可能性を判定する判定手段と、
この判定手段の判定結果に基づいて、前記検出されたパスごとに前記要素生成手段により生成される複数の要素の中から記憶対象の要素を選択する選択手段と、
前記基地局に対応付けて、前記選択手段により選択されたパスの要素をパス情報として記憶手段に記憶させるパス情報記憶制御手段と、
前記パス情報記憶手段に記憶されたパス情報をもとに受信手段にＲＡＫＥ受信動作を行わせる受信制御手段とを具備したことを特徴とする制御モジュール。
【請求項８】
前記選択手段は、前記判定手段の判定結果に基づいて、前記パス検出手段により検出される複数のパスの中から受信候補となるパスを選択し、かつこの選択されたパスごとに前記要素生成手段により生成された複数の要素の中から記憶対象の要素を選択することを特徴とする請求項７記載の制御モジュール。
【請求項９】
各々がセルを形成する複数の基地局との間でＣＤＭＡ（ＣｏｄｅＤｉｖｉｓｉｏｎ　Ｍｕｌｔｉｐｌｅ　Ａｃｃｅｓｓ）方式を使用して無線通信を行う移動通信端末で使用されるパス情報更新プログラムにおいて、
前記基地局ごとに当該基地局から到来する信号のパスを検出する過程と、
前記検出されたパスごとにその詳細を表す複数の要素を生成する過程と、
前記複数の基地局の各々について自端末のハンドオーバ先となる可能性を判定する過程と、
前記ハンドオーバ先となる可能性の判定結果に基づいて、前記検出されたパスごとに前記生成される複数の要素の中から記憶対象の要素を選択する過程と、
前記基地局に対応付けて、前記選択されたパスの要素をパス情報として記憶する過程とを具備したことを特徴とするパス情報更新プログラム。
【請求項１０】
各々がセルを形成する複数の基地局との間でＣＤＭＡ（Ｃｏｄｅ　Ｄｉｖｉｓｉｏｎ　Ｍｕｌｔｉｐｌｅ　Ａｃｃｅｓｓ）方式を使用して無線通信を行う移動通信端末で使用されるパス情報更新プログラムにおいて、
前記基地局ごとに当該基地局から到来する信号のパスを検出する過程と、
前記検出されたパスごとにその詳細を表す複数の要素を生成する過程と、
前記複数の基地局の各々について自端末のハンドオーバ先となる可能性を判定する過程と、
前記ハンドオーバ先となる可能性の判定結果に基づいて、前記検出された複数のパスの中から受信候補となるパスを選択する過程と、
前記選択されたパスごとに、前記ハンドオーバ先となる可能性の判定結果に応じて、前記生成される複数の要素の中から記憶対象の要素を選択する過程と、
前記基地局に対応付けて、前記選択されたパスの要素をパス情報として記憶する過程とを具備したことを特徴とするパス情報更新プログラム。
【発明の詳細な説明】
【０００１】
【発明の属する技術分野】
この発明は、ＣＤＭＡ（Ｃｏｄｅ　Ｄｉｖｉｓｉｏｎ　Ｍｕｌｔｉｐｌｅ　Ａｃｃｅｓｓ）方式を採用した自動車携帯電話システムやＰＣＳ（Ｐｅｒｓｏｎａｌ　Ｃｏｍｍｕｎｉｃａｔｉｏｎ　Ｓｙｓｔｅｍ）等のセルラ移動通信システムに用いられる移動無線端末とその制御モジュール並びにパス情報更新プログラムに関する。
【０００２】
【従来の技術】
周知のように、ＣＤＭＡ方式を採用したセルラ移動無線通信システムでは、サービスエリアに複数の基地局を分散配置し、これらの基地局によりそれぞれセルと呼ばれる無線ゾーンを形成している。一つのセルは、半径が数百ｍから数キロｍの大きさに設定される。
【０００３】
各基地局は、制御チャネルを使用して、自局が形成するセルに関する情報及び隣接するセル（以後隣接セルと称する）に関する情報を放送している。この報知情報には、移動局が隣接セルの基地局から無線信号を受信するために必要な拡散信号の識別情報と、隣接セルについて移動局が接続対象とする優先度を示す情報が含まれている。
【０００４】
これに対し移動局は、基地局から放送される上記報知情報に基づいて、現在位置しているセル（以後滞在セルと称する）及び複数の隣接セルに対し定期的にパスサーチを行っている。例えば、滞在セル及び隣接セルごとに、その基地局からそれぞれ複数の経路を介して到来する信号、つまりマルチパスを受信し、受信された各パスの受信電力と遅延時間差（遅延プロフィール）を検出する。そして、受信電力の大きい順に所定個数（例えば１６個）のパスを選択して、この選択した各パスの詳細を表す複数の要素からなる情報（以後パス情報と呼称する）をセルの識別情報に対応付けてパス情報データベースに記憶する。このパス情報データベースに記憶されたパス情報はハンドオーバを行う際に使用され、次のパスサーチにより新たなパス情報が得られると更新される。
【０００５】
【発明が解決しようとする課題】
ところが、従来の移動通信端末では、サーチ対象のすべてのセルについてそれぞれ例えば１６個という多くのパスを検出し、これらのパスごとにそのパス情報をパス情報データベースに記憶するようにしている。しかも、一つのパス情報として、例えばパスの受信タイミング（逆拡散タイミング）、受信電力、フィンガで受信中であるか否かを表す受信パスフラグ、受信電力が最も大きいパスであるか否かを表す主波フラグ、そして割当先のフィンガの番号といった多くの情報要素を記憶するようにしている。
【０００６】
このため、パス情報データベースに記憶されるパス情報の情報量が非常に多くなり、パス情報データベースとして大容量のメモリを用意しなければならず、端末のコストアップを招く。また、パスサーチごとに一つのセルについて１６個という多くのパスを検出し、しかもこの検出されたパスごとに多くの要素からなるパス情報を生成しなければならない。このため、制御モジュールの処理負荷が大きくなると共に、この処理のために多くの電力が消費されてバッテリ寿命の短命化を招く。
【０００７】
この発明は上記事情に着目してなされたもので、その目的とするところは、パス情報を記憶するための記憶手段の記憶容量を低減すると共に、制御モジュールの処理負荷の軽減と低消費電力化を可能にした移動通信端末とその制御モジュール並びにパス情報更新プログラムを提供することにある。
【０００８】
【課題を解決するための手段】
上記目的を達成するためにこの発明は、各々がセルを形成する複数の基地局との間でＣＤＭＡ（Ｃｏｄｅ　Ｄｉｖｉｓｉｏｎ　Ｍｕｌｔｉｐｌｅ　Ａｃｃｅｓｓ）方式を使用して無線通信を行う移動通信端末において、上記基地局ごとに当該基地局から到来する信号のパスを検出し、この検出されたパスごとにその詳細を表す複数の要素を生成してパス情報記憶手段に記憶する際に、上記複数の基地局の各々について自端末のハンドオーバ先となる可能性を判定する。そして、この判定結果に応じて、上記検出されたパスごとに上記生成される複数の要素の中から記憶対象の要素を選択し、この選択されたパスの要素を基地局に対応付けて上記パス情報記憶手段に記憶するようにしたものである。
【０００９】
具体的には、ハンドオーバ先となる可能性が所定値より高いと判定された基地局から受信したパスについては、前記生成される複数の要素のすべてを選択して記憶し、一方ハンドオーバ先となる可能性が所定値より低いと判定された基地局から受信したパスについては、前記生成される複数の要素の中から特定の要素を限定的に選択して記憶する。特定の要素としては、例えばパスの受信タイミング及び受信電力の二つを選択するとよい。
【００１０】
したがってこの発明によれば、ハンドオーバ先となる可能性が高い基地局から到来したパスについてはパス情報として多くの要素が選択されて記憶され、これに対しハンドオーバ先となる可能性が低い基地局から到来したパスについてはパス情報として限定された少数の要素が選択されて記憶される。
【００１１】
このため、すべてのパスについて一律に、生成され得るすべての要素をもれなく記憶するようにしていた従来に比べ、パス情報記憶手段の記憶容量を低減することが可能となり、これにより小容量のメモリを使用可能となって価格を抑えることが可能となる。またすべてのパスについて一律に、生成し得るすべての要素を検出し生成する必要がなくなるので、その分制御モジュールの処理負荷を軽減することができ、これにより消費電力を低減してバッテリ寿命を延長させることができる。
【００１２】
一方この発明は、上記記憶対象の要素を選択する際に、ハンドオーバの可能性の判定結果に基づいて、上記検出された複数のパスの中から受信候補となるパスを先ず選択し、かつこの選択されたパスごとに上記生成される複数の要素の中から記憶対象の要素を選択することも特徴としている。
【００１３】
このように構成すると、ハンドオーバの可能性が低い基地局については先ず記憶対象のパス数が制限され、その上でさらに記憶対象の要素が限定される。このため、パス情報記憶手段に記憶されるパス情報の情報量がさらに低減され、これによりパス情報記憶手段のメモリ容量のより一層の低減と低価格化を可能にすることができる。またハンドオーバ先となる可能性が低い基地局については、パスサーチにおいて多くのパスを検出する必要がなくなるので、制御モジュールの処理負荷をさらに軽減することができ、これにより消費電力を低減してバッテリ寿命のより一層の延長を図ることが可能となる。
【００１４】
上記ハンドオーバ先となる可能性の判定手段としては、次の二つの構成が考えられる。
第１の構成は、複数の基地局の各々について、パス検出手段により検出されたパスの受信レベルに基づいて自端末のハンドオーバ先となる可能性が所定値より高いか低いかを判定するものである。
【００１５】
第２の構成は、自端末の移動方向及び移動速度を検出する手段を備え、複数の基地局の各々について、上記検出された自端末の移動方向及び移動速度に基づいて自端末のハンドオーバ先となる可能性が所定値より高いか低いかを判定するものである。
【００１６】
第１の構成によれば、パス検出手段により検出される基地局ごとのパスの受信レベルを利用して判定を行えるので、判定のために別途信号の受信レベル検出動作を行う必要がなく、これにより短時間で簡単に判定を行うことができる。
【００１７】
第２の構成によれば、自端末の移動方向と移動速度をもとに判定が行われるので、自端末の移動状態、つまり高速移動しているか、低速移動或いは停止しているかに応じて、適切な判定を行うことができる。例えば高速移動している場合には、たとえパスの受信レベルが低い基地局であっても、移動方向に位置する基地局についてはハンドオーバ先となる可能性が高いと判定できる。
【００１８】
【発明の実施の形態】
以下、この発明の実施形態を図面を参照して説明する。
図１は、この発明に係わるＣＤＭＡ移動無線端末の一実施形態を示す要部構成図である。
【００１９】
送信ユニット１２は、図示しない送信信号処理部から出力された音声や映像、データ等の送信情報を、ＰＳＫ（Ｐｈａｓｅ　Ｓｈｉｆｔ　Ｋｅｙｉｎｇ）変調方式等のディジタル変調方式により変調したのち、この変調された送信情報を拡散符号を用いてスペクトラム拡散することにより広帯域の送信ベースバンド信号に変換する。そして、この送信ベースバンド信号を送信無線周波数にアップコンバートしたのち、所定の送信電力レベルに増幅する。この送信ユニット１２から出力された送信無線周波信号は、共用器１１を介してアンテナ１０に供給され、このアンテナ１０から図示しない基地局に向け送信される。
【００２０】
一方、基地局より送信された無線周波信号は、アンテナ１０で受信されたのち共用器１１を介して受信ユニット１３に入力される。受信ユニット１３は無線回路１４と、中間周波数回路１５と、ＲＡＫＥ（レイク）受信機１６とからなる。
【００２１】
無線回路１４では、上記共用器１１から入力された受信無線周波信号が減衰器１４ａに入力され、ここで予め設定したレベルだけ減衰される。減衰器１４ａを通過した信号は、自動利得制御（ＡＧＣ）増幅器１４ｂで所定のレベルまで増幅された後、ミキサ１４ｃにおいて周波数シンセサイザ１４ｄにより生成された局部発振信号とミキシングされることで受信中間周波数にダウンコンバートされる。
【００２２】
この受信中間周波数にダウンコンバートされた信号は、中間周波回路１５に入力されて増幅器１５ａで所定のレベルまで増幅される。この増幅された信号はバンドパスフィルタ（ＢＰＦ）１５ｂに入力され、ここで所望の帯域のみが通過するように帯域制限を施された後、ミキサ１５ｃに入力される。ミキサ１５ｃでは、上記バンドパスフィルタ１５ｂを通過した信号が、周波数シンセサイザ１５ｄにて生成される信号とミキシングされて、受信ベースバンド信号に変換される。この受信ベースバンド信号は、Ａ／Ｄ変換器（Ａ／Ｄ）１５ｅにてディジタル信号に変換され、ＲＡＫＥ受信機１６に入力される。
【００２３】
ＲＡＫＥ受信機１６は、サーチャ１６ａと、複数のフィンガ１６ｂ〜１６ｎと、シンボル合成器１６ｅとから構成される。上記Ａ／Ｄ変換器１５ｅから出力された受信ディジタルベースバンド信号は、サーチャ１６ａ及び各フィンガ１６ｂ〜１６ｎにそれぞれ入力される。サーチャ１６ａは、制御部１００の指示に基づいて、上記受信ディジタルベースバンド信号に対し特定の拡散符号を用いた逆拡散処理を施すことにより、基地局から複数の経路（パス）を介して自端末に到来する信号、いわゆるマルチパスを検出する。また、この検出されたパスの受信電力レベルや受信タイミング（逆拡散同期タイミング）を求め、制御部１００に通知する。
【００２４】
フィンガ１６ｂ〜１６ｎは、制御部１００から個別に割り当てられたパスの受信ディジタルベースバンド信号を復調するもので、具体的には制御部１００から指定された逆拡散タイミングで上記受信ディジタルベースバンド信号を逆拡散処理する。シンボル合成器１６ｅは、フィンガ１６ｂ〜１６ｎによりそれぞれ逆拡散されたパスの受信信号を、位相を合わせた後シンボル合成する。このシンボル合成器１６ｅから出力された受信信号は受信信号処理部１７に入力され、ここでディジタル復調処理や誤り訂正復号処理、音声、映像及びデータをそれぞれ再生するための復号処理が施されて、受信情報が再生される。
【００２５】
移動状態検出部１８は、自己の端末の移動方向と移動速度を検出するもので、移動速度の検出方法としては例えば受信無線周波信号のフェージングピッチを監視してその検出結果をもとに求める方法が用いられる。また、移動方向は例えばセルの通過履歴をもとに推定することが可能である。なお、端末がＧＰＳ（Ｇｌｏｂａｌ　Ｐｏｓｉｔｉｏｎｉｎｇ　Ｓｙｓｔｅｍ）受信機を備えている場合には、このＧＰＳ受信機の検出出力をもとに移動方向及び移動速度を検出することが可能である。
【００２６】
記憶部２００は、ＲＯＭ、ＲＡＭ或いはＥＥＰＲＯＭ等を記憶媒体として使用したもので、ユーザが任意に記憶可能な電話帳データをはじめとする種々の管理情報を記憶するエリアを有するほかに、パステーブル記憶エリア２００ａを有している。
【００２７】
パステーブル記憶エリア２００ａは、周辺の複数の基地局との間で通信を行うために必要な種々の通信パラメータ情報を記憶する。図２は記憶される通信パラメータ情報の構成を示すものである。
【００２８】
通信パラメータ情報は４階層に階層化されている。第一階層は、受信候補になり得る基地局数と、その基地局（セル）名とからなる。第二階層は、該当するセルとの通信に必要な拡散符号の種類と、自端末が通信に用いているセルであるか否かを示すＳｔａｔｕｓ情報と、無線周波数の受信電界強度を表すＣａｒｒｉｅｒ　ＲＳＳＩと、受信ＡＧＣ増幅器１４ｂの利得を表すＲｘＡＧＣと、セルから到来するパスに関するパス情報とからなる。
【００２９】
第三階層は、上記パス情報の概要を表すもので、受信候補として選択されたパス数と、選択された各パスの平均電力情報とから構成される。受信候補として選択されるパス数は、後述するようにハンドオーバ先となる可能性の高低に応じて変化する。本実施形態では、１６個と１個のいずれか一方が選択される。
【００３０】
第四階層は、上記各パスの平均電力情報の詳細を表す情報要素を表すもので、パスの受信同期タイミングと、パスの受信品質（ＲｘＡＧＣ差を考慮したＲＳＣＰの電力平均値）と、フィンガ１６ｂ〜１６ｎで受信中のパスであるか否かを示す受信パスフラグと、受信電力が最も大きいパスであるか否かを示す主波フラグと、当該パスがどのフィンガに割り当てられているかを示すフィンガ番号とから構成される。
【００３１】
後述するように上記５種類の情報要素は、ハンドオーバ先となる可能性の高低に応じて記憶対象の要素が変化する。本実施形態では、１６個のパスが選択されているセルについては５種類すべてが記憶対象として選択され、一方１個のパスが選択されているセルについては上記５種類のうち受信同期タイミングと受信品質（平均ＲＳＣＰ）のみが記憶対象として選択される。
【００３２】
ところで、制御部１００は、ＲＯＭに記憶される制御プログラムや制御データに従って所定の制御を実行するＣＰＵを備えたもので、この発明を実現する上で重要な役割を果たす制御機能として、ハンドオーバ可能性判定機能１００ａと、パス情報記憶制御機能１００ｂと、パス情報変更制御機能１００ｃとを有している。
【００３３】
ハンドオーバ可能性判定機能１００ａは、基地局（セル）ごとに、サーチャ１６ａにより検出されたマルチパスの平均受信電力（平均ＲＳＣＰ）を予め設定したしきい値と比較する。そして、平均受信電力がしきい値以上だった場合には当該セルをハンドオーバ先となる可能性が高いセルであると判定し、一方平均受信電力がしきい値未満だった場合には当該セルをハンドオーバ先となる可能性が低いセルであると判定する。
【００３４】
またハンドオーバ可能性判定機能１００ａは、上記移動状態検出部１８から移動方向及び移動速度の検出出力を取り込み、この取り込んだ検出出力をもとに自端末の進行ルート上に存在するセルと当該セルに到達するまでに要する予想時間を推定する。そして、この推定結果をもとに、セルごとにハンドオーバ先となる可能性の高低を判定する。
【００３５】
パス情報記憶制御機能１００ｂは、上記ハンドオーバ可能性判定機能１００ａにおいて平均受信電力（平均ＲＳＣＰ）をもとに判定されたハンドオーバ先となる可能性の高低に応じて、受信候補として選択するパス数を可変する。例えば、ハンドオーバ先となる可能性の高いセルについては１６個のパスを選択し、一方ハンドオーバ先となる可能性の低いセルについては１個のパスを選択する。
【００３６】
またパス情報記憶制御機能１００ｂは、上記ハンドオーバ先となる可能性の高低に応じて、記憶対象とするパス情報の要素を変える。例えば、ハンドオーバ先となる可能性の高いセルのパスについては、先に述べた５種類の要素すべてを選択して前記パステーブル記憶エリア２００ａに記憶させ、一方ハンドオーバ先となる可能性の低いセルについては、上記５種類の要素のうち受信同期タイミングと受信品質（平均ＲＳＣＰ）のみを選択して前記パステーブル記憶エリア２００ａに記憶させる。
【００３７】
パス情報変更制御機能１００ｃは、前記ハンドオーバ可能性判定機能１００ａにおいて自端末の移動方向及び移動速度をもとに推定された自端末の進行予想ルートに基づいて、各セルについてハンドオーバ先となる可能性の高低を再度判定する。そして、この再判定の結果に基づいて、上記パス情報記憶制御機能１００ｂにより選択され記憶されたパス数及び情報要素の種類を変更する。
【００３８】
次に、以上のように構成された移動通信端末によるパス情報の記憶制御に係わる動作を説明する。図３乃至図５は、その制御手順及び制御内容を示すフローチャートである。
【００３９】
制御部１００は、ハンドオーバに備えて、滞在中のセル及び隣接セルに対し定期的にパスサーチを行う。すなわち、パスサーチの実行タイミングになると、制御部１００は先ずステップ３ａにおいてサーチ対象の複数のセルの中から一つを選択し、この選択したセルについてのパスサーチの実行をサーチャ１６ａに指示する。サーチャ１６ａは、該当するセルの基地局から複数の経路を介して到来する信号、つまりマルチパスを受信し、この受信された各パスの受信電力と遅延時間差（遅延プロフィール）を検出する。制御部１００は、上記サーチャ１６ａにより得られたマルチパスの検出データを、ステップ３ｂにより制御部１００内のメモリに一次保持する。そして、ステップ３ｃにおいて、上記検出された各パスの受信電力の平均値を求める。
【００４０】
さて、上記受信電力の平均値が算出されると制御部１００は、次にステップ３ｄに移行し、ここでハンドオーバ先となる可能性の判定と、パス情報の記憶制御を実行する。図４はその制御手順と制御内容を示すフローチャートである。
【００４１】
すなわち、制御部１００は先ずステップ４ａで上記受信電力の平均値を予め設定したしきい値と比較する。この比較の結果、受信電力の平均値がしきい値以上だったとすると、当該セルはハンドオーバ先となる可能性が高いと判断してステップ４ｂに移行し、ここで受信候補とするパス数を１６個選択する。この１６個のパスは、受信電力の大きい順に選ばれる。続いて制御部１００は、ステップ４ｃにおいて、上記選択された１６個のパスの各々について５種類の要素、つまりタイミング、平均受信電力（平均ＲＳＣＰ）、受信パスフラグ、主波フラグ及びフィンガ番号のすべてを選択し、この選択した５種類の要素をステップ４ｆによりパステーブル記憶エリア２００ａに記憶させる。図２のセルＡに対応する記憶情報はこのときの例を示すものである。
【００４２】
これに対し、受信電力の平均値がしきい値未満だったとする。この場合制御部１００は、当該セルはハンドオーバ先となる可能性が低いと判断してステップ４ｄに移行し、ここで受信候補とするパス数を１個選択する。この１個のパスは、受信電力が最大のパスである。続いて制御部１００は、ステップ４ｅにおいて、上記選択された１個のパスについて５種類の要素の中からタイミング及び平均受信電力（平均ＲＳＣＰ）のみを選択し、この選択した要素をステップ４ｆによりパステーブル記憶エリア２００ａに記憶させる。図２のセルＥに対応する記憶情報はこのときの例を示す。
【００４３】
次に制御部１００は、ステップ３ｅに移行してここで移動状態検出部１８に対し検出指示を与える。移動状態検出部１８では、上記検出指示に応じて自端末の移動方向及び移動速度の検出が行われる。この移動状態検出部１８により得られた自端末の移動方向及び移動速度の検出データは、制御部１００に取り込まれる。制御部１００は、上記取り込んだ移動方向及び移動速度の検出データをもとに、ステップ３ｆで自端末の進行ルートを推定し、この進行ルート上に存在するセルを判定する。
【００４４】
そうして進行ルートの推定結果が得られると、制御部１００は次にステップ３ｇに移行してパス情報の変更制御を実行する。図５はその制御手順及び制御内容を示すフローチャートである。
【００４５】
なお、端末が所定速度以下で低速移動しているか又は停止している場合や、移動方向を推定できない場合には、進行ルートの推定が不可能である。この場合制御部１００は、ステップ３ｇによるパス情報の変更制御を省略してステップ３ｈに移行する。
【００４６】
パス情報の変更制御に移行すると制御部１００は、先ずステップ５ａにおいて、上記進行ルートの判定結果をもとに、上記パス情報を記憶した当該セルがハンドオーバ先となる可能性が高いか否かを判定する。この判定は、当該セルが上記進行ルート上に存在しているか否かにより行う。
【００４７】
この判定の結果、当該セルがハンドオーバ先となる可能性が高かったとすると、制御部１００はステップ５ｂに移行して、パステーブル記憶エリア２００ａに記憶された当該セルの受信候補パス数が１個であるか否かを判定する。もし１個であれば、当該セルについて記憶したパス数及びパス情報の要素の種類を変更する必要があると判断し、ステップ５ｃで受信候補とするパス数を１６個に変更すると共に、ステップ５ｄで記憶対象のパス情報の要素を２種類から５種類に変更する。そして、ステップ５ｅにおいて、先にステップ３ｂで保持しておいた当該セルについてのパスサーチの検出結果をもとに、受信電力の大きい順に１６個のパスを選択し、かつこれらのパスの各々についてパス情報の５種類の要素すべてを選択して、パステーブル記憶エリア２００ａの該当する記憶情報をこの新たに選択し直した情報に変更する。
【００４８】
例えば、いま自端末が図６に示すＭＳの位置から、図中ＭＶに示す進行ルートで移動しようとしていたとする。この場合、例えばセルＧは端末の位置ＭＳから遠いため、受信電力に基づくハンドオーバ先となる可能性の判定（ステップ４ａ）では、可能性が低いと判定される。しかし、このセルＧは端末の進行ルート上に存在する。このため、上記進行ルートに基づくハンドオーバ先となる可能性の再判定（ステップ５ａ）において、ハンドオーバ先となる可能性が高いと判定し直される。そして、この判定結果に応じて、受信候補パス数は１個から１６個に、またパス情報の要素の種類も２種類から５種類に変更されて、パステーブル記憶エリア２００ａに記憶し直される。
【００４９】
なお、ステップ５ａでハンドオーバ先となる可能性が低いと判定された場合や、ハンドオーバ先となる可能性が高いと判定されても受信候補パス数の変更及び記憶対象となるパス情報の要素の種別変更は不要であるとステップ５ｂで判定された場合には、記憶内容の変更を行わずにそのままステップ３ｈに移行する。
【００５０】
ステップ３ｈに移行すると制御部１００は、サーチ対象のすべてのセルについてのパスサーチを終了したか否かを判定する。そして、まだサーチ対象のセルが残っていれば、ステップ３ａに戻って未サーチの次のセルを選択し、この選択したセルについてステップ３ａ乃至ステップ３ｇによる制御を実行する。以後、サーチ対象のすべてのセルについて、上記ステップ３ａ乃至ステップ３ｇによる制御を実行する。そうして、サーチ対象のすべてのセルについての制御が終了すると、待ち受け状態に戻る。
【００５１】
以上述べたようにこの実施形態では、各セルに対するパスサーチにおいて、その受信電力をもとに当該セルがハンドオーバ先となる可能性が高いか否かを判定する。そして、可能性が高いと判定された場合には、受信候補のパス数を１６個選択すると共に、この選択した１６個のパスの各々についてパス情報を構成する５種類の要素すべてを選択してパステーブル記憶エリア２００ａに記憶する。これに対し、可能性が低いと判定された場合には、受信候補のパス数を１個選択すると共に、この選択した１個のパスについて５種類の要素の中からタイミングと平均受信電力を選択してパステーブル記憶エリア２００ａに記憶するようにしている。
【００５２】
したがってこの実施形態によれば、ハンドオーバ先となる可能性が低いセルについては、受信候補とするパス数を１個に限定した上で、さらにパス情報として２種類の要素のみが選択されて記憶される。このため、すべてのセルについて一律に１６個のパスを選択し、しかもパス情報として生成され得るすべての要素をもれなく記憶する場合に比べ、パステーブル記憶エリア２００ａの必要記憶容量を大幅に低減することができ、これにより記憶部２００として小容量のメモリを使用することが可能となって、端末の小型化とコストダウンを図ることが可能となる。
【００５３】
また、すべてのセルについて、１６個のパスの各々について５種類すべての要素を生成する必要がなくなる。このため、制御部１００の処理負荷を軽減することができ、これにより消費電力を低減してバッテリ寿命を延長させることができる。
【００５４】
さらにこの実施形態では、自端末の移動方向及び移動速度を検出する移動状態検出部１８と、パス情報変更制御機能１００ｃを備えている。そして、検出された移動方向及び移動速度をもとに自端末の進行ルートを推定し、この推定結果をもとに各セルについてハンドオーバ先となる可能性が高いか否かを再判定する。そしてこの判定の結果、ハンドオーバ先となる可能性が高いセルについては、受信候補のパス数を１６個に変更すると共に、パス情報の要素の種類についても５種類すべてを選択して記憶し直すようにしている。
【００５５】
したがって、自端末の移動状態、つまり高速移動しているか、低速移動或いは停止しているかに応じて、ハンドオーバ先となる可能性を判定し直すことができる。このため、端末が高速移動している場合には、たとえパスの受信電力が低いセルであっても、端末の進行ルート上に位置するセルについてはハンドオーバ先となる可能性が高いと判定して、十分な受信候補パス数とそのパス情報要素を記憶することができる。したがって、セル間ハンドオーバを円滑かつ確実に行うことができる。
【００５６】
なお、この発明は上記実施形態に限定されるものではない。例えば、前記実施形態では、パス情報の変更制御において、ハンドオーバ先となる可能性が高いと判定された場合にのみ、受信候補パス数の変更と記憶対象となるパス情報要素の変更記憶処理を行うようにした。しかし、この処理に加え、ハンドオーバ先となる可能性が低いと判定された場合にも、受信候補パス数の変更と記憶対象となるパス情報要素の変更記憶を行うようにしてもよい。
【００５７】
図７は、この場合の制御部１００の制御手順と制御内容を示すフローチャートである。なお、同図において前記図５と同一部分には同一符号を付して詳しい説明は省略する。
【００５８】
制御部１００は、ステップ５ａでハンドオーバ先となる可能性が低いと判定されると、ステップ７ａに移行して、ここでパステーブル記憶エリア２００ａに記憶された当該セルの受信候補パス数が１６個であるか否かを判定する。
【００５９】
もし１６個であれば、当該セルについて記憶されたパス数及びパス情報の要素の種類を減少させることが可能であると判断する。そして、ステップ７ｂで受信候補とするパス数を１個に変更すると共に、ステップ７ｃにより記憶対象のパス情報の要素を５種類から２種類に、つまりタイミング及び平均受信電力のみに変更する。そして、ステップ５ｅにおいて、上記変更結果を基に、パステーブル記憶エリア２００ａに記憶されている受信候補パス数及びパス情報の要素を記憶し直す。
このようにすると、パステーブル記憶エリア２００ａに記憶されるパス情報の情報量をさらに低減することができる。
【００６０】
また前記実施形態では、受信電力に基づくハンドオーバ可能性の判定及びその判定結果に応じたパス情報の選択記憶制御を行ったのちに、端末の移動状態に応じたハンドオーバ可能性の再判定とパス情報の変更記憶制御を行うようにした。しかし、それに限定されるものではなく、先ず端末の移動状態に応じたハンドオーバ可能性の判定とパス情報の記憶制御を実行し、しかるのち受信電力に基づくハンドオーバ可能性の再判定及びその判定結果に応じたパス情報の変更記憶制御を実行するようにしてもよい。
【００６１】
また、その際の別の実施例として、先ず端末の移動状態に基づいて進行ルートを推定する。そして、推定できた場合には、この推定結果をもとにハンドオーバ先となる可能性を判定してパス情報の選択記憶制御を実行する。一方、進行ルートを推定できなかった場合には、受信電力に基づいてハンドオーバ可能性を判定し、その判定結果に応じてパス情報の選択記憶制御を実行するようにしてもよい。
【００６２】
さらに、受信電力に基づくハンドオーバ可能性の判定及びその判定結果に応じたパス情報の選択記憶制御をすべてのセルについて行ったのちに、上記各セルについて、端末の移動状態に応じたハンドオーバ可能性の再判定とパス情報の変更記憶制御を実行するようにしてもよい。
【００６３】
また必ずしも、受信電力に基づくハンドオーバ可能性の判定及びその判定結果に応じたパス情報の選択記憶制御と、端末の移動状態に応じたハンドオーバ可能性の判定とパス情報の選択記憶制御との両方を実行させる必要はなく、そのいずれか一方のみを実行させるようにしてもよい。
【００６４】
その他、移動通信端末の種類とその構成、受信候補として選択するパス数とその選択アルゴリズム、パス情報を構成する要素の種類とその中から選択する要素の種類、サーチ対象とするセルの数等についても、この発明の要旨を逸脱しない範囲で種々変形して実施できる。
【００６５】
【発明の効果】
以上詳述したようにこの発明では、基地局ごとに当該基地局から到来する信号のパスを検出し、この検出されたパスごとにその詳細を表す複数の要素を生成してパス情報記憶手段に記憶する際に、上記複数の基地局の各々について自端末のハンドオーバ先となる可能性を判定する。そして、この判定結果に応じて、上記検出されたパスごとに上記生成される複数の要素の中から記憶対象の要素を選択し、この選択されたパスの要素を基地局に対応付けて上記パス情報記憶手段に記憶するようにしている。
【００６６】
したがってこの発明によれば、パス情報を記憶するための記憶手段の記憶容量を低減すると共に、制御モジュールの処理負荷の軽減と低消費電力化を可能にした移動通信端末とその制御モジュール並びにパス情報更新プログラムを提供することができる。
【図面の簡単な説明】
【図１】この発明に係わる移動通信端末の一実施形態を示す要部ブロック構成図。
【図２】図１に示した移動通信端末に設けられるパステーブル記憶エリアに記憶される情報の構成を示す図。
【図３】図１に示した移動通信端末の制御部において実行される通信パラメータ情報記憶制御の主たる手順とその内容を示すフローチャート。
【図４】図３に示した制御手順のうちハンドオーバ可能性判定処理とパス情報記憶制御の手順と内容を示すフローチャート。
【図５】図３に示した制御手順のうちパス情報変更制御の手順と内容を示すフローチャート。
【図６】移動通信端末の進行ルートの一例を示す図。
【図７】この発明の他の実施形態におけるパス情報変更制御の手順と内容を示すフローチャート。
【符号の説明】
１０…アンテナ
１１…共用器
１２…送信ユニット
１３…受信ユニット
１４…無線回路
１４ａ…減衰器
１４ｂ…ＡＧＣ増幅器
１４ｃ…ミキサ
１４ｄ…周波数シンセサイザ
１５…中間周波回路
１５ａ…増幅器
１５ｂ…バンドパスフィルタ（ＢＰＦ）
１５ｃ…ミキサ
１５ｄ…周波数シンセサイザ
１５ｅ…Ａ／Ｄ変換器（Ａ／Ｄ）
１６…ＲＡＫＥ受信機
１６ａ…サーチャ
１６ｂ〜１６ｎ…フィンガ
１６ｅ…シンボル合成器
１７…受信信号処理部
１８…移動状態検出部
１００…制御部
１００ａ…ハンドオーバ可能性判定機能
１００ｂ…パス情報記憶制御機能
１００ｃ…パス情報変更制御機能
２００…記憶部
２００ａ…パステーブル記憶エリア
【図１】
2004032385.tif 000003
【図２】
2004032385.tif 000004
【図３】
2004032385.tif 000005
【図４】
2004032385.tif 000006
【図５】
2004032385.tif 000007
【図６】
2004032385.tif 000008
【図７】
2004032385.tif 000009